(57)【要約】【課題】球が風車に絡む場合と風車に絡まない場合との割合を容易に調整できるようにする。【解決手段】演出表示部の大形化に伴い、センター飾り１８の左側とガイドレール８との間の隙間には、センター飾り１８の仕切壁２３の左側面に左側から右側に窪む弧状に形成された誘導面２９と、風車１９に対する一対の誘導釘群３３と、風車１９に対する連釘群３４とが設けられ、隙間Ｄ２を狭くしたり広くしたりするように、左側の誘導釘群３３の最上部の釘または連釘群３４の最下部の釘の２本を調整することによって、誘導面２９から左側の誘導釘群３３と連釘群３４との間の隙間Ｄ２に向けて放出される球が風車１９に絡む場合と風車１９に絡まない場合との割合を容易に調整することができる。【選択図】図１
2009056253.tif 000002
【特許請求の範囲】
【請求項１】
センター飾りの左側とガイドレールとの間の隙間を構成する部分に、風車、風車に対する一対の誘導釘群、風車に対する連釘群が設けられ、左側の誘導釘群と連釘群との間の隙間は球を１個ずつ通過可能であるが２個以上横に並んで通過不可能な寸法に構成されたパチンコ遊技機の遊技盤において、センター飾りの仕切壁の左側面には左側から右側に窪む弧状に形成されかつ球を上記左側の誘導釘群と連釘群との間の隙間に向けて放出する誘導面が設けられたことを特徴とするパチンコ遊技機の遊技盤。
【発明の詳細な説明】
【技術分野】
【０００１】
本発明は、球が風車に絡む場合と風車に絡まない場合との割合を容易に調整できるパチンコ遊技機の遊技盤に関する。
【背景技術】
【０００２】
パチンコ遊技機の遊技盤では、液晶表示器などの画像表示器の表示画面に表示された演出表示画像を遊技者に良好に見せるために、画像表示器およびセンター飾りが大形化されてきている。図３は、非特許文献１で開示されたパチンコ遊技機の遊技盤７に設けられたセンター飾り１８よりも左側の部分の正面を示す。図３において、大形なセンター飾り１８の左側とガイドレール８との間の隙間が釘配置に対する自由度の少ない領域として構成されている。この部分の遊技盤７には、普通始動部品１２に対する一対の命釘３０、普通始動部品１２に対する誘導釘群３１、普通始動部品１２の周辺のばら釘３２、風車１９に対する一対の誘導釘群３３、風車１９に対する連釘群３４、風車１９に対するばら釘３５、振分釘３９が設けられている。球を遊技領域２８から演出表示部２７の方に入らないように阻止するようにセンター飾り１８に設けられた仕切壁２３と右側の誘導釘群３３との間の隙間Ｄ１は球の通過不可能な寸法になっている。左側の誘導釘群３３と連釘群３４との間の隙間Ｄ２は、球が１個ずつ通過可能であるが、球が２個以上横に並んで通過不可能な寸法になっている。そして、球が左側の誘導釘群３３と連釘群３４との間の隙間Ｄ２から風車１９に絡まないように排出される場合と、球が一対の誘導釘群３３の間の隙間から風車１９に絡む場合とに振り分ける際、左側の誘導釘群３３の最上部の釘または連釘群３４の最下部の釘と振分釘３９との３本の釘を調整しなければならず、風車１９に絡む球と風車１９に絡まない球との割合を容易に調整することができないという欠点がある。
【非特許文献１】双葉社、２００６.１．８号、パチンコ攻略マガジン、第４頁、第６１頁
【発明の開示】
【発明が解決しようとする課題】
【０００３】
発明が解決しようとする問題点は、３本の釘を調整することが必要なことから、風車に絡む球と風車に絡まない球との割合を容易に調整できないという点である。
【課題を解決するための手段】
【０００４】
本発明に係るパチンコ遊技機の遊技盤は、センター飾りの左側とガイドレールとの間の隙間を構成する部分に、風車、風車に対する一対の誘導釘群、風車に対する連釘群が設けられ、左側の誘導釘群と連釘群との間の隙間は球を１個ずつ通過可能であるが２個以上横に並んで通過不可能な寸法に構成されたパチンコ遊技機の遊技盤において、センター飾りの仕切壁の左側面には左側から右側に窪む弧状に形成されかつ球を上記左側の誘導釘群と連釘群との間の隙間に向けて放出する誘導面が設けられたことを最も主要な特徴とする。
【発明の効果】
【０００５】
本発明に係るパチンコ遊技機の遊技盤は、左側の誘導釘群と連釘群との間の隙間を狭くしたり広くしたりするように、左側の誘導釘群の最上部の釘または連釘群の最下部の釘の２本を調整することによって、誘導面から左側の誘導釘群と連釘群との間の隙間に向けて放出される球が風車に絡む場合と風車に絡まない場合との割合を容易に調整することができるという利点がある。
【発明を実施するための最良の形態】
【０００６】
図１は、遊技盤７におけるセンター飾り１８の左側とガイドレール８との間の隙間の釘配置を示す。図２は、パチンコ遊技機の正面を示す。本明細書において、「前」、「後」、「左」、「右」、「上」、「下」の方向は、図２の状態に遊技機枠１を置いて図２の紙面の表側から見た場合に特定される方向である。
【０００７】
図２を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、窓パネル３、受皿４、発射操作機構５が設けられる。遊技機枠１の内部には、発射機構６が設けられる。遊技盤７の前面には、ガイドレール８、発射通路９、アウト口１０、一般入賞部品１１、普通始動部品１２、特別始動部品１３、可変入賞部品１４、普通抽選確定表示器１５、特別抽選確定表示器１６；１７、センター飾り１８、風車１９、遊技釘２０などが設けられる。
【０００８】
普通始動部品１２は、遊技領域２８から取り込んだ球を遊技盤７の後側に排出することなく遊技領域２８に排出する、チャッカーと呼ばれる通過タイプとして構成される。特別始動部品１３は、上入賞部２１および下入賞部２２を備える。上入賞部２１は、球を遊技領域２８から特別始動部品１３の内部に取り込む入賞口が不変なポケットタイプとして構成される。下入賞部２２は球を遊技領域２８から特別始動部品１３の内部に取り込む入賞口が開閉可能な電動チューリップタイプとして構成される。可変入賞部品１４は、球を遊技領域２８から可変入賞部品１４の内部に取り込む入賞口が開閉可能なアタッカータイプとして構成される。
【０００９】
センター飾り１８は、仕切壁２３、ワープ通路２４、ステージ２５、球排出路２６、演出表示部２７などを備える。仕切壁２３は、遊技盤７の前面から前側に突出し、球が遊技領域２８から演出表示部２７の方に入らないように阻止する壁である。演出表示部２７は、仕切壁２３で囲まれた前方に開放した奥行の有る空間の背部を透明な部材で塞がれた態様であって、演出表示部２７の後側に配置された図外の液晶表示器などの画像表示器の表示画面に表示された演出表示画像を遊技機枠１の前側における遊技者に見せる部分である。
【００１０】
最良の形態の場合、演出表示部２７が大形であって、仕切壁２３の右側とガイドレール８との間の隙間は、球が１個ずつ通過可能であるが、球が２個以上横に並んで同時に通過不可能な寸法である。仕切壁２３の左側とガイドレール８との間の隙間は、球が２個以上横に並んで同時に通過可能な寸法である。つまり、演出表示部２７の大形化に伴い、センター飾り１８の左側とガイドレール８との間の隙間は、釘配置に対する自由度の少ない領域として構成されており、この部分における釘配置などについては、図１で詳述する。図２では、遊技釘２０は、多数本設けられることから、それらの１本１本に符号「２０」を付ける代わりに、黒く塗り潰した丸（黒丸）で図示した。
【００１１】
遊技盤７が遊技機枠１の内部に装着された場合、遊技領域２８が発射機構６から発射された球の飛び交う領域として窓パネル３と遊技盤７の前面との間におけるガイドレール８で囲まれた部分として形成され、ガイドレール８、発射通路９、アウト口１０、一般入賞部品１１、普通始動部品１２、特別始動部品１３、可変入賞部品１４、普通抽選確定表示器１５、特別抽選確定表示器１６；１７、センター飾り１８、風車１９、遊技釘２０などが、遊技機枠１の前側から窓２および窓パネル３を通して視認可能になる。
【００１２】
パチンコ遊技の一例について説明すると、遊技盤７が遊技機枠１に装着され、遊技者が受皿４にパチンコ球と呼ばれる球を入れ、遊技者が発射操作機構５を操作するのに伴い、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域２８の上部に到達する。遊技領域２８に到達した球が、遊技領域２８を流下する過程において、一般入賞部品１１、特別始動部品１３、可変入賞部品１４の何れか１つに入賞するごとに、当該球の入賞した部品に対応する図外の球検出器が入賞信号を図外の制御装置に出力し、図外の制御装置が図外の球払出機構を制御し、球払出機構が賞球としての球を受皿４に払い出す。遊技領域２８からワープ通路２４に取り込まれた球は、ステージ２５の上に排出される。ステージ２５に排出された球は、ステージ２５の上を左右に行ったり来たりしつつステージ２５の上から前方に落下するか、または、球排出路２６に取り込まれる。球排出路２６に取り込まれた球は、特別始動部品１３の上入賞部２１に向けて落下する。
【００１３】
球が普通始動部品１２を通過すると、普通始動部品１２に設けられた図外の球検出器が入賞信号を図外の制御装置に出力し、図外の制御装置がコンピュータによる内部抽選と呼ばれる普通抽選を実行した後、図外の制御装置が普通抽選確定表示器１５を制御し、普通抽選確定表示器１５が普通抽選の確定した結果を表示する。この抽選確定表示器１５で表示された普通抽選の確定した結果が当たりの場合、特別始動部品１３の下入賞部２２における電動チューリップの開閉体が下部を中心として左右に開く。つまり、下入賞部２２の入賞口が１回または数回開閉する。
【００１４】
球が特別始動部品１３の上入賞部２１または下入賞部２２を通過すると、当該球の通過に対応する図外の球検出器が入賞信号を図外の制御装置に出力し、図外の制御装置がコンピュータによる内部抽選と呼ばれる特別抽選を実行した後、図外の制御装置が特別抽選確定表示器１７を制御し、特別抽選確定表示器１７が普通抽選の確定した結果を表示する。この特別抽選確定表示器１７で表示された特別抽選の確定した結果が当たりの場合、可変入賞部品１４の開閉体が多数回開閉する大当たり遊技となる。大当たり遊技は、可変入賞部品１４の開閉体の開閉の開始からの経過時間がラウンド規定時間に到達するかまたは下可変入賞部品１４への球の入賞個数が入賞規定個数に到達するかのいずれか１つが成立したら可変入賞部品１４の開閉体を閉じて１ラウンドを終了し、可変入賞部品１４の開閉体の開閉を再開し、最大ラウンド数まで繰り返される遊技形態である。
【００１５】
図１を参照し、センター飾り１８の左側とガイドレール８との間の隙間における釘配置などについて説明する。仕切壁２３における普通始動部品１２の右側に対応する部分には、誘導面２９が、球を左側の誘導釘群３３と連釘群３４との間の隙間Ｄ２に向けて放出するように、左側から右側に窪む縦長な弧状に形成される。遊技盤７には、普通始動部品１２に対する一対の命釘３０、普通始動部品１２に対する誘導釘群３１、普通始動部品１２の周辺のばら釘３２、風車１９に対する一対の誘導釘群３３、風車１９に対する連釘群３４、風車１９に対するばら釘３５が設けられる。
【００１６】
誘導釘群３１は、複数本の釘から構成され、普通始動部品１２よりも上方に配置される。誘導釘群３１を構成する釘どうしは、一対の命釘３０の間の隙間を下方に通過した球を普通始動部品１２に誘導するように、互いに球の通過不可能な間隔で一列に配置される。誘導釘群３３は、複数本の釘から構成され、風車１９より上方に配置される。誘導釘群３３を構成する釘どうしは、一対の誘導釘群３３の間の隙間を下方に通過した球を風車１９に誘導するように、互いに球の通過不可能な間隔で一列に配置される。連釘群３４は、複数本の釘から構成され、普通始動部品１２を通過した球を一対の誘導釘群３３の間の隙間に誘導するように、互いに球の通過不可能な間隔で一列に配置される。命釘３０を構成する釘、誘導釘群３１を構成する釘、ばら釘３２；３５を構成する釘、誘導釘群３３を構成する釘は、図１の遊技釘２０に相当する釘により構成される。
【００１７】
右側の命釘３０と普通始動部品１２との間の隙間、誘導釘群３１と普通始動部品１２との間の隙間は、球の通過不可能な寸法である。普通始動部品１２とばら釘３５との間の隙間、誘導面２９とばら釘３５との間の隙間、誘導釘群３３とばら釘３５との間の隙間、連釘群３４とばら釘３５との間の隙間は、球が１個ずつ通過可能であるが、球が２個以上横に並んで通過不可能な寸法である。右側の誘導釘群３３における最上部の釘と誘導面２９の最下部との間の隙間Ｄ１は、球の通過不可能な寸法である。左側の誘導釘群３３と連釘群３４との間の隙間Ｄ２は、球が１個ずつ通過可能であるが、球が２個以上横に並んで通過不可能な寸法である。誘導面２９を流下する球Ｐは、矢印Ｘ１で示すように、誘導面２９から左側の誘導釘群３３と連釘群３４との間の隙間Ｄ２に向けて放出される。
【００１８】
そして、隙間Ｄ２が球を１個ずつ通過可能な範囲において、左側の誘導釘群３３の最上部の釘または連釘群３４の最下部の釘が矢印Ｘ２で示すように互いに近づく方向に釘調整されると、隙間Ｄ２が狭くなり、球が隙間Ｄ２を誘導面２９の方からガイドレール８の方向に通過するよりも一対の誘導釘群３３の間の隙間から風車１９に誘導されやすくなる。また、隙間Ｄ２が球を２個以上同時に通過不可能な範囲において、左側の誘導釘群３３の最上部の釘または連釘群３４の最下部の釘が矢印Ｘ３で示すように互いに離れる方向に釘調整されると、隙間Ｄ２が広くなり、球が一対の誘導釘群３３の間の隙間から風車１９に誘導されるよりも隙間Ｄ２を誘導面２９の方からガイドレール８の方向に通過しやすくなる。釘調整は、調整しようとする釘における遊技盤７の前面から前側に突出した部分をハンマーなどの工具で矢印Ｘ２または矢印Ｘ３の方向に叩いて傾ける作業である。
【００１９】
要するに、演出表示部２７の大形化に伴い、センター飾り１８の左側とガイドレール８との間の隙間には、センター飾り１８の仕切壁２３の左側面に左側から右側に弧状に窪むように形成された誘導面２９と、風車１９に対する一対の誘導釘群３３と、風車１９に対する連釘群３４とが設けられ、球が誘導面２９から左側の誘導釘群３３と連釘群３４との間の隙間Ｄ２に向けて放出されるようになっているので、隙間Ｄ２を狭くしたり広くしたりするように、左側の誘導釘群３３の最上部の釘または連釘群３４の最下部の釘の２本を調整することによって、誘導面２９から左側の誘導釘群３３と連釘群３４との間の隙間Ｄ２に向けて放出される球が風車１９に絡む場合と風車１９に絡まない場合との割合を容易に調整することができるという利点がある。
【００２０】
風車１９の回転の中心を構成する風車軸３６の中心は、一対の誘導釘群３３の最上部の左右方向の中心よりも左側に寸法Ｈ１だけずれている。つまり、風車軸３６の中心を通る中心線Ｌ１と一対の誘導釘群３３の最上部の左右方向の中心を通る中心線Ｌ２との間の寸法は、Ｈ１である。これによって、一対の誘導釘群３３の間の隙間から風車１９に落下された球が風車１９によって左側に振り分けられる割合は２割で、右側に振り分けられる割合は８割である。風車１９によって右側に振り分けられた球は図２に示す上斜め誘導釘群３７によって特別始動部品１３の上入賞部２１の方に誘導され、風車１９によって左側に振り分けられた球は図２に示す下斜め誘導釘群３８によって特別始動部品１３の下入賞部２２の方に流れる。
【産業上の利用可能性】
【００２１】
図１において、一対の誘導釘群３１は、２本の釘が球を互いに左右に対峙した態様でもよい。この２本の釘が球を互いに左右に対峙する隙間は、球が１個ずつ通過可能であるものの、２個以上の球が横に並んで同時に通過不可能な寸法である。
【図面の簡単な説明】
【００２２】
【図１】遊技盤の要部の正面図（最良の形態）。
【図２】パチンコ遊技機の正面図（最良の形態）。
【図３】遊技盤のセンター飾りよりも左側の部分の正面図（従来）。
【符号の説明】
【００２３】
１は遊技機枠、２は窓、３は窓パネル、４は受皿、５は発射操作機構、６は発射機構、７は遊技盤、８はガイドレール、９は発射通路、１０はアウト口、１１は一般入賞部品、１２は普通始動部品、１３は特別始動部品、１４は可変入賞部品、１５は普通抽選確定表示器、１６；１７は特別抽選確定表示器、１８はセンター飾り、１９は風車、２０は遊技釘、２１は上入賞部、２２は下入賞部、２３は仕切壁、２４はワープ通路、２５はステージ、２６は球排出路、２７は演出表示部、２８は遊技領域、２９は誘導面、３０は命釘、３１は誘導釘群、３２はばら釘、３３は誘導釘群、３４は連釘群、３５はばら釘、３６は風車軸、３７は上斜め誘導釘群、３８は下斜め誘導釘群、３９は振分釘。
【図１】
2009056253.tif 000003
【図２】
2009056253.tif 000004
【図３】
2009056253.tif 000005